(57)【要約】【課題】  建築業者以外の住人等であっても、犬走りを容易に施工することが可能な犬走り形成用樹脂成型体を提供すること。【解決手段】  板状又は箱状を有し、平面方向に複数敷き並べることにより犬走りを形成することができることを特徴とする犬走り形成用樹脂成型体。【選択図】    図１
2010024633.tif 000002
【特許請求の範囲】
【請求項１】
板状又は箱状を有し、平面方向に複数敷き並べることにより犬走りを形成することができることを特徴とする犬走り形成用樹脂成型体。
【請求項２】
上面板及び該上面板から下方へ延設する柱状又は壁状のリブを有し、下面が開放していることを特徴とする請求項１に記載の犬走り形成用樹脂成型体。
【請求項３】
側部に、互いを連結するための連結部を有することを特徴とする請求項１又は２に記載の犬走り形成用樹脂成型体。
【請求項４】
上下に貫通するアンカー用の孔を有することを特徴とする請求項１〜３のいずれか１に記載の犬走り形成用樹脂成型体。
【請求項５】
上面に設けられた開口部と、
該開口部から下方へ延設する、シロアリ防除用のベイト剤を収容するための筒状部と、
前記開口部を開閉する蓋体と
を備えたことを特徴とする請求項１〜４のいずれか１に記載の犬走り形成用樹脂成型体。
【請求項６】
筒状収容体を有する、シロアリ防除用のベイト剤を収容するためのステーションを挿着するための開口部を上面に有することを特徴とする請求項１〜４のいずれか１に記載の犬走り形成用樹脂成型体。
【請求項７】
シロアリ防除用のベイト剤を収容するための筒状収容体の上開口部を、下側から取着するための取着部
を備えたことを特徴とする請求項１〜４のいずれか１に記載の犬走り形成用樹脂成型体。
【発明の詳細な説明】
【技術分野】
【０００１】
この発明は、犬走り形成用樹脂成型体に関し、特に木造住宅に対して有効な犬走り形成用樹脂成型体に関する。
【背景技術】
【０００２】
住宅等の建物を建築する場合、雨水の跳ね返りから建物の裾回りが汚れるのを防止するため、コンクリート基礎の外側縁に沿って犬走りと称される所定幅のコンクリートの床を設けることがある（例えば、特許文献１参照）。この犬走りは、従来、コンクリート基礎を構築した後に、コンクリート基礎の外側縁に沿って型枠を組み、コンクリートを打設することで、コンクリート基礎から外側に延びる所定幅のコンクリートの床として形成される。なお、犬走りの上面は、コテにより平滑にされたり、その上面にタイルが敷かれたりする。
【０００３】
【特許文献１】特開平１０−１６９２００号公報
【発明の開示】
【発明が解決しようとする課題】
【０００４】
しかしながら、従来の犬走りは、型枠を組み、組んだ型枠にコンクリートを流し込み、さらに上面をコテで平滑にし、タイルを敷いて形成するため、建築業者以外の住人等が施工するのは困難であった。また、犬走りを形成した後に、その下に下水等の排水路やガス管等を埋設する場合、長いトンネルを掘るか、一旦その一部撤去して排水路やガス管等を埋設した後、再施工する必要があり、手間がかかるといった問題があった。
【０００５】
本発明は、上述した課題に鑑みてなされたものであり、その目的は、建築業者以外の住人等がであっても、犬走りを容易に施工することが可能な犬走り形成用樹脂成型体を提供することにある。
【課題を解決するための手段】
【０００６】
以上のような目的を達成するために、本発明は、以下のようなものを提供する。
（１）  板状又は箱状を有し、平面方向に複数敷き並べることにより犬走りを形成することができることを特徴とする犬走り形成用樹脂成型体。
【０００７】
（１）の発明によれば、犬走り形成用樹脂成型体は、板状又は箱状を有し、平面方向に複数敷き並べると犬走りを形成することができる。犬走り形成用樹脂成型体は、樹脂成型体であるため、持ち運びが容易であり、また、敷き並べるだけでよいため、コンクリートで施工するに比して、容易に施工することが可能である。また、板状又は箱状を有しているため、地中に埋め込む寸法を調節して敷き並べることにより、地面からの高さ寸法を所望とする寸法とすることができる。また、並べる数を調整することにより、所望の長さ（例えば、建物の外周の長さ）を有する犬走りを形成することができる。また、１列にして並べるのか、２列、３列といったように複数列にして並べるかを選択することにより、所望の幅寸法を有する犬走りを形成することができる。
また、（１）の発明の犬走り形成用樹脂成型体を複数敷き並べて犬走りを形成すれば、例えば、温水器等を後から設置する等、事後的に地中に配管を埋設する必要が生じた場合であっても、埋設するために必要な箇所に敷き並べられた犬走り形成用樹脂成型体のみを一旦取り外し、配管等を施工した後に再び敷き並べればよく、施工の手間を最小限とすることができる。
さらに、成型用金型を加工することで、上面に凹凸を容易に施すことができ、デザイン性を向上させたり、滑り止めとして使用することができる。
【０００８】
さらに、本発明は、以下のようなものを提供する。
（２）  上記（１）の犬走り形成用樹脂成型体であって、
上面板及び該上面板から下方へ延設する柱状又は壁状のリブを有し、下面が開放していることを特徴とする。
【０００９】
（２）の発明によれば、上面板及び該上面板から下方へ延設する柱状又は壁状のリブを有し、下面が開放しているため、上面板側から殴打等することで、土やバラスト等の地面にリブを沈み込ませることができる。その結果、水平方向への位置ズレが生じ難くすることができる。また、殴打等する力を調整することにより、敷き並べる際の高さの微調整を容易に行うことができる。また、リブを有するため、上面板が補強される。その結果、上面板を薄くすることができ、軽量化を図ることができる。
（２）の犬走り形成用樹脂成型体において、リブの先端を細くする（先細り）と殴打等による設置をより容易に行い得る点で望ましい。
【００１０】
さらに、本発明は、以下のようなものを提供する。
（３）  上記（１）又は（２）の犬走り形成用樹脂成型体であって、
側部に、互いを連結するための連結部を有することを特徴とする。
【００１１】
さらに、本発明は、以下のようなものを提供する。
（３）の発明によれば、互いを連結するための連結部を有するため、ズレたり歪んだりすることなく互いを確実に固定して、隙間なく敷き並べることができる。
【００１２】
さらに、本発明は、以下のようなものを提供する。
（４）  上記（１）〜（３）のいずれか１の犬走り形成用樹脂成型体であって、
上下に貫通するアンカー用の孔を有することを特徴とする。
【００１３】
（４）の発明によれば、上下に貫通するアンカー用の孔が設けられているため、適切な位置に適切な数のアンカーを打込むことができ、建築業者以外の住人等であっても、地面等の設置面に確実に固定することができる。
【００１４】
さらに、本発明は、以下のようなものを提供する。
（５）  上記（１）〜（４）のいずれか１の犬走り形成用樹脂成型体であって、
上面に設けられた開口部と、
該開口部から下方へ延設する、シロアリ防除用のベイト剤を収容するための筒状部と、
上記開口部を開閉する蓋体と
を備えたことを特徴とする。
【００１５】
（５）の発明によれば、上面に設けられた開口部と、該開口部から下方へ延設する、シロアリ防除用のベイト剤を収容するための筒状部と、上記開口部を開閉する蓋体とを備える。従って、犬走り形成用樹脂成型体を敷き並べると、筒状部が、ベイト工法におけるステーションの役割を果たすこととなる。すなわち、犬走りの設置とステーションとしての筒状部とを同時に設置することができ、作業効率を向上させることができる。また、犬走り形成用樹脂成型体を敷き並べて設置すると、筒状部は、所定の間隔で配置されることとなる。その結果、ステーションとしての筒状部の配置に際して、その間隔を予め測定するといった作業を省略することができる。また、ベイト剤の効果がなくなったときに再度のベイト剤の収容・補充を容易にすることができる。さらに、蓋体により、雨水によるベイト剤の滲み出しを軽減でき、ベイト剤を有効に使用することができる。
なお、ベイト工法とは、シロアリ防除方法の１つであり、ベイト剤（シロアリを防除するための薬剤、例えば、シロアリの脱皮を阻害する成分を有する薬剤）を添加した木材（ベイト材と呼ばれる）を入れた筒状のステーションと呼ばれる特殊容器を建物の周りの地中に埋め、シロアリに、外部から建物に侵入する前にステーション内のベイト材を捕食させて駆除する方法である。
本明細書中において、「ベイト剤を収容する」とは、少なくともベイト剤を収容することをいい、収容する態様は、特に限定されず、ベイト剤を添加した木材、紙材等のベイト材を収容することや、ゼリー状のベイト剤を収容することを含む。
【００１６】
さらに、本発明は、以下のようなものを提供する。
（６）  上記（１）〜（４）のいずれか１の犬走り形成用樹脂成型体であって、
筒状収容体を有する、シロアリ防除用のベイト剤を収容するためのステーションを挿着するための開口部を上面に有することを特徴とする。
【００１７】
（６）の発明によれば、筒状収容体を有する、シロアリ防除用のベイト剤を収容するためのステーションを挿着するための開口部を上面に有する。従って、犬走り形成用樹脂成型体を敷き並べた後、開口部にベイト工法のステーションを挿着することができる。犬走り形成用樹脂成型体を敷き並べて設置すると、開口部が所定の間隔で配置されることとなるため、ステーションの配置に際して、その間隔を予め測定するといった作業を省略することができる。また、ステーションを挿着可能な開口部を上面に有しているため、犬走り上に市販のステーションを設置することができる。また、ベイト剤の効果がなくなったときに再度のベイト剤の収容・補充を容易にすることができる。
上記（６）の犬走り形成用樹脂成型体において、開口部を開閉する蓋体を設けることが望ましい。上からの荷重に対する強度を向上させることができるからである。また、蓋体により、雨水によるベイト剤の滲み出しを軽減でき、ベイト剤を有効に使用することができる。
【００１８】
さらに、本発明は、以下のようなものを提供する。
（７）  上記（１）〜（４）のいずれか１の犬走り形成用樹脂成型体であって、
シロアリ防除用のベイト剤を収容するための筒状収容体の上開口部を、下側から取着するための取着部
を備えたことを特徴とする。
【００１９】
（７）の発明によれば、シロアリ防除用のベイト剤を収容するための筒状収容体の上開口部を、下側から取着するための取着部を備えているため、筒状収容体を下側から取着することができる。従って、犬走り形成用樹脂成型体を敷き並べる際に、例えば、３つおきに筒状収容体を取り付けるといったように、所定の周期で筒状収容体を犬走り形成用樹脂成型体の下側に取り付けるだけでよく、筒状収容体を設置する間隔を測定するといった作業を省略することができる。
また、筒状収容体を犬走り形成用樹脂成型体の下側に取り付けるため、犬走り形成用樹脂成型体の上面には筒状収容体を設置するための開口部を設ける必要がない。また、犬走り形成用樹脂成型体の下面が蓋としての役割を果たすため、蓋体を設ける必要もない。従って、設置した際の上面の美観を保つことができる。また、シロアリ防除が必要なときにだけ筒状収容体を取着すればよいため、経済性に優れる。
また、筒状収容体の上開口部を、下側から取着することができるため、ベイト剤の効果がなくなったときに再度のベイト剤の収容・補充を容易にすることができる。
【発明の効果】
【００２０】
本発明によれば、建築業者以外の住人等であっても、犬走りを容易に施工することが可能な犬走り形成用樹脂成型体を提供することができる。
【発明を実施するための最良の形態】
【００２１】
以下、本発明の実施形態について図面を用いて説明する。
勿論、本発明は、以下の実施形態に限定されるものではなく、本発明の構成を充足する範囲内で、適宜設計変更を行うことが可能である。
【００２２】
［第１実施形態］
図１（ａ）は、本発明の第１実施形態に係る犬走り形成用樹脂成型体の一例を模式的に示す左側面図であり、図１（ｂ）は、その平面図であり、図１（ｃ）は、その正面図である。
図２は、図１に示した犬走り形成用樹脂成型体の底面図である。
第１実施形態に係る犬走り形成用樹脂成型体１０は、平面方向に複数敷き並べることにより犬走りを形成することを可能とするものである。
【００２３】
図１（ａ）、図１（ｂ）、及び、図２に示すように、犬走り形成用樹脂成型体１０は、上面に上面板１２を有し、下面が開放した箱状をした樹脂製のものである。図１（ｃ）、及び、図２に示すように、上面板１２の右側部１４には、下側に突出した連結用凸部１６が右側部１４に沿って所定の間隔をおいて４つ形成されている。また、図１（ｂ）、及び、図１（ｃ）に示すように、上面板１２の左側部１８は、上面板１２の上面よりも低く設定されており、上側が開口した連結用凹部２０が左側部１８に沿って所定の間隔をおいて４つ形成されている。連結用凸部１６、及び、連結用凹部２０は、平面方向に犬走り形成用樹脂成型体１０を連結する際に用いられるものであり、１の犬走り形成用樹脂成型体１０の連結用凸部１６をもう一方の犬走り形成用樹脂成型体１０の連結用凹部２０に上側から嵌合させることにより、連結させることができる。その結果、互いを確実に固定して、犬走り形成用樹脂成型体１０を隙間なく敷き並べることが可能になる。連結用凸部１６、及び、連結用凹部２０は、本発明の連結部に相当するものである。
【００２４】
図１（ａ）、図１（ｃ）、及び、図２に示すように、犬走り形成用樹脂成型体１０の裏面には、外形が上面板１２よりも一回り小さい枠体２２が設けられており、枠体２２には、格子状にリブ２４が設けられている。リブ２４は、上面板１２から下方へ延設する壁状のリブとして設けられている。リブ２４は、壁状であり、リブ２４の間には空間が設けられているため、設置の際、上面板１２側から殴打等することで、土やバラスト等の地面にリブを沈み込ませることができる。その結果、水平方向への位置ズレが生じ難くすることができる。また、殴打等する力を調整することにより、敷き並べる際の高さの微調整を容易に行うことができる。枠体２２及びリブ２４は、下側ほど厚みが薄くなっている。その結果、上側から殴打等したときに、少ない力で地面に埋め込むことができる。
【００２５】
犬走り形成用樹脂成型体１０は、縦横の比が１：２であるが、本発明において縦横の比は特に限定されず、例えば、１：１、１：３、１：４、２：３であってもよい。また、縦、横、高さの寸法については、取り扱い性の面、運搬性の面から適宜決定すればよい。
【００２６】
第１実施形態では、犬走り形成用樹脂成型体１０が箱状のものである場合について説明した。しかしながら、本発明において犬走り形成用樹脂成型体は、この例に限定されず、板状であってもよい。本発明において、箱状とは、下面に下面板が形成されているか否かに関わらず（下面が開放されているか否かに関わらず）、中空であるものをいい、板状とは、中空ではないものをいう。
【００２７】
第１実施形態では、犬走り形成用樹脂成型体１０に壁状のリブ２４が設けられている場合について説明した。しかしながら、本発明におけるリブは、この例に限定されず、柱状であってもよい。本発明において、壁状のリブとは、その外周（上面板との接面における外周）の長さが高さよりも長いリブをいい、柱状のリブとは、高さが外周よりも長いリブをいう。本発明の柱状のリブとしては、特に限定されないが、例えば、円柱状、角柱状のものを挙げることができる。なお、柱状のリブは、下方に向かうに従って、外周が小さくなる形状を有するものであってもよい。
【００２８】
［第２実施形態］
図３（ａ）は、本発明の第２実施形態に係る犬走り形成用樹脂成型体の一例を示す左側面図であり、図３（ｂ）は、その平面図であり、図３（ｃ）は、その正面図である。
図４は、図３に示した犬走り形成用樹脂成型体の底面図である。
【００２９】
図３（ａ）、図３（ｂ）、及び、図４に示すように、犬走り形成用樹脂成型体３０は、上面に上面板３２を有し、下面が開放した箱状をした樹脂製のものである。図３（ｃ）、及び、図４に示すように、上面板３２の右側部３４には、下側に突出した連結用凸部３６が右側部３４に沿って所定の間隔をおいて４つ形成されている。また、図３（ｂ）、及び、図３（ｃ）に示すように、上面板３２の左側部３８は、上面板３２の上面よりも低く設定されており、上側が開口した連結用凹部４０が左側部３８に沿って所定の間隔をおいて４つ形成されている。連結用凸部３６、及び、連結用凹部４０は、平面方向に犬走り形成用樹脂成型体３０を連結する際に用いられるものであり、１の犬走り形成用樹脂成型体３０の連結用凸部３６をもう一方の犬走り形成用樹脂成型体３０の連結用凹部４０に上側から嵌合させることにより、連結させることができる。
【００３０】
図３（ｂ）、及び、図３（ｃ）に示すように、上面板３２の中央には、下面まで貫通した開口部４６が設けられており、開口部４６の外周には、ドーナツ状の溝４８が設けられている。開口部４６は、後述するステーション６０（図５（ａ）参照）を挿着させることができ、溝４８は、開口部４６に嵌合したステーション６０の縁６８（図５（ａ）参照）を係止させることができる。従って、犬走り形成用樹脂成型体３０を建物の外周に敷き並べた後、開口部４６にステーション６０を挿着することができる。なお、建物の外周に犬走り形成用樹脂成型体３０を敷き並べる際には、建物の外周におけるステーション６０が配置される箇所に、ステーション６０が嵌まり込む程度の穴を予め設けておく。
【００３１】
本発明において、開口部の外周に設けられた溝の深さは、嵌合させるステーションの縁の厚さと同じ、又は、縁の厚さよりも深いことが望ましい。ステーションを開口部に嵌合させた際にステーションの上面が犬走り形成用樹脂成型体の上面よりも上となるのを防止し、平滑な犬走りを形成可能となるからである。なお、溝は、設けられてなくてもよい。
【００３２】
また、本発明において、ステーションを挿着するための開口部の形状、及び、寸法は、特に限定されず、市販されているステーションを嵌合可能なものを採用することができる。また、専用品としてのステーションを用いることとし、当該専用品としてのステーションを嵌合可能な形状、及び、寸法とすることとしてもよい。なお、開口部４６を開閉する蓋体を設けることが望ましい。上からの荷重に対する強度を向上することができるからである。この場合、蓋体は、例えば、ネジにより開口部４６に螺合したり、嵌合により取着することとすればよい。
【００３３】
ここで、犬走り形成用樹脂成型体３０に挿着することができるステーション６０について説明する。
なお、犬走り形成用樹脂成型体の上面に設けられた開口部に挿着するステーションとしては、市販されているものであってもよく、本発明の犬走り形成用樹脂成型体の開口部に挿着可能な専用品であってもよい。
【００３４】
図５（ａ）は、ステーションの一例を模式的に示す正面図であり、図５（ｂ）は、その平面図である。
ステーション６０は、有底の筒状をした筒状収容体６２を備えており、筒状収容体６２には、略全面にシロアリが通過することのできる貫通孔６４が設けられている。また、ステーション６０の上開口部６６の外周には、縁６８が設けられている。縁６８には、貫通孔からなる蓋体固定部７０が設けられている。筒状収容体６２にベイト剤を収容した状態にして地中に埋めると、シロアリが貫通孔６４から内部に侵入し、このベイト剤（例えば、木材に添加されたベイト剤）を捕食し、巣に持ち帰ることとなる。その結果、シロアリを防除することができる。
【００３５】
図６は、蓋体の一例を模式的に示す平面図である。
蓋体８０は、円形平板状を有しており、その外周には一対の蓋体固定用孔８２が設けられている。ベイト剤を収容したステーション６０を所定の位置に設置した後、ステーション６０上に蓋体８０を載置し、ステーション６０の蓋体固定部７０と蓋体固定用孔８２とを螺子等で固定することにより、蓋体８０がズレないようにすることができる。
【００３６】
［第３実施形態］
図７（ａ）は、本発明の第３実施形態に係る犬走り形成用樹脂成型体の一例を模式的に示す左側面図であり、図７（ｂ）は、その平面図であり、図７（ｃ）は、その正面図である。
図８は、図７に示した犬走り形成用樹脂成型体の底面図である。
【００３７】
図７（ａ）、図７（ｂ）、及び、図８に示すように、犬走り形成用樹脂成型体９０は、上面に上面板９２を有し、下面が開放した箱状をした樹脂製のものである。図７（ｃ）、及び、図８に示すように、上面板９２の右側部９４には、下側に突出した連結用凸部９６が右側部９４に沿って所定の間隔をおいて４つ形成されている。また、上面板９２の左側部９８は、上面板９２の上面よりも低く設定されており、上側が開口した連結用凹部１００が左側部９８に沿って所定の間隔をおいて４つ形成されている。連結用凸部９６、及び、連結用凹部１００は、平面方向に犬走り形成用樹脂成型体９０を連結する際に用いられるものであり、１の犬走り形成用樹脂成型体９０の連結用凸部９６をもう一方の犬走り形成用樹脂成型体９０の連結用凹部１００に上側から嵌合させることにより、連結させることができる。
【００３８】
図７（ｂ）、及び、図７（ｃ）に示すように、上面板９２の中央には、下面まで貫通した開口部１０６が設けられており、開口部１０６の外周には、ドーナツ状の溝１０８が設けられている。溝１０８は、蓋体を設置するためのものである。また、上面板９２には、開口部１０６から下方へ延設する筒状部１１２が一体的に設けられており、筒状部１１２の略全面にシロアリが通過することのできる貫通孔１１４が設けられている。筒状部１１２は、シロアリ防除用のベイト剤を収容するためのものである。なお、本発明において、開口部の形状、及び、寸法は、組み合わせて使用する蓋体に応じて適宜設定可能である。また、本発明における筒状部の形状は、シロアリ防除用のベイト剤を収容することが可能であれば、特に限定されず、例えば、円柱状、角柱状を挙げることができる。
【００３９】
溝１０８上には、一対の蓋体固定部１１０が設けられている。ベイト剤を必要に応じて筒状部１１２に収容した後、蓋体を溝１０８に嵌め込み、蓋体固定部１１０と蓋体に設けられた蓋体固定用孔とを螺子等で固定することにより、蓋体がズレないようにすることができる。なお、本発明における蓋体については、特に限定されないが、例えば、図６を用いて説明した蓋体８０を挙げることができる。開口部の外周に設けられた溝の深さは、蓋体の厚さと同じ、又は、縁の厚さよりも深いことが望ましい。蓋体を開口部に設置させた際に蓋体の上面が犬走り形成用樹脂成型体の上面よりも上となるのを防止し、平滑な犬走りを形成可能となるからである。なお、溝は、設けられてなくてもよい。
また、蓋体の周囲にネジ溝を設けるとともに、溝１０８の周壁にもネジ溝を設け、蓋体自体を回転させることにより、溝１０８の周壁に蓋体のネジ溝を螺合させることにより、蓋体を犬走り形成用樹脂成型体に固定することとしてもよい。この際、蓋体は、上面から雨水等の水分がステーション（筒状部１１２）内に滴下浸入しないように、隙間が生じない構成とすることが望ましい。ベイト剤がステーション外へ滲み出すことを防止するためである。
【００４０】
なお、建物の外周に犬走り形成用樹脂成型体９０を敷き並べる際には、建物の外周における筒状部１１２が配置される箇所に、筒状部１１２が嵌まり込む程度の穴を予め設けておく。
【００４１】
図７（ａ）、図７（ｃ）、及び、図８に示すように、犬走り形成用樹脂成型体９０の裏面には、外形が上面板９２よりも一回り小さい枠体１０２が設けられており、枠体１０２には、格子状にリブ１０４が設けられている。リブ１０４は、上面板１０２から下方へ延設する壁状のリブとして設けられている。
【００４２】
［第４実施形態］
図９（ａ）は、本発明の第４実施形態に係る犬走り形成用樹脂成型体の一例を模式的に示す左側面図であり、図９（ｂ）は、その平面図であり、図９（ｃ）は、その正面図である。
図１０は、図９に示した犬走り形成用樹脂成型体の底面図である。
【００４３】
図９（ａ）、図９（ｂ）、及び、図１０に示すように、犬走り形成用樹脂成型体１２０は、上面に上面板１２２を有し、下面が開放した箱状をした樹脂製のものである。図９（ｃ）に示すように、上面板１２２の右側部１２４には、正面視でコの字状の連結部１２６が形成されている。また、上面板１２２の左側面には、上面板１２２から左側に突出した連結部１２８が形成されている。連結部１２６、及び、連結部１２８は、平面方向に犬走り形成用樹脂成型体１２０を連結する際に用いられるものであり、１の犬走り形成用樹脂成型体１２０の連結部１２６をもう一方の犬走り形成用樹脂成型体１２０の連結部１２８に側面側から嵌合させることにより、連結させることができる。その結果、互いを確実に固定して、犬走り形成用樹脂成型体１２０を隙間なく敷き並べることが可能になる。連結部１２６、及び、連結部１２８は、本発明の連結部に相当する。
【００４４】
図９（ａ）、図９（ｃ）、及び、図１０に示すように、犬走り形成用樹脂成型体１２０の裏面には、外形が上面板１２２よりも一回り小さい枠体１３２が設けられており、枠体１３２には、格子状にリブ１３４が設けられている。リブ１３４は、上面板１２２から下方へ延設する壁状のリブとして設けられている。
【００４５】
［第５実施形態］
図１１（ａ）は、本発明の第５実施形態に係る犬走り形成用樹脂成型体の一例を模式的に示す左側面図であり、図１１（ｂ）は、その平面図であり、図１１（ｃ）は、その正面図である。
図１２は、図１１に示した犬走り形成用樹脂成型体の底面図である。
【００４６】
第５実施形態に係る犬走り形成用樹脂成型体１５０は、アンカー用の孔１５２が設けられている以外は、第１実施形態に係る犬走り形成用樹脂成型体１０と略同様の構成を有している。そこで、同様の構成部分については、すでに第１実施形態において説明したのでここでの説明は省略することとする。なお、犬走り形成用樹脂成型体１０と同一の構成については、同一の符号を付した。
図１１（ｂ）、及び、図１２に示すように、平面視で上面板１２の左上、及び、右下には、高さ方向で上下に貫通するアンカー用の孔１５２が設けられている。アンカー用の孔１５２は、地面等の設置面にアンカーを打ち付けるために使用する。犬走り形成用樹脂成型体１５０によれば、アンカー用の孔１５２が設けられているため、適切な位置に適切な数のアンカーを打込むことができ、建築業者以外の住人等であっても、地面等の設置面に確実に固定することができる。
【００４７】
［第６実施形態］
図１３（ａ）は、本発明の第６実施形態に係る犬走り形成用樹脂成型体の一例を模式的に示す左側面図であり、図１３（ｂ）は、その平面図であり、図１３（ｃ）は、その正面図である。
図１４は、図１３に示した犬走り形成用樹脂成型体の底面図である。
【００４８】
第６実施形態に係る犬走り形成用樹脂成型体１６０は、アンカー用の孔１６２、及び、アンカー用の孔１６４が設けられている以外は、第４実施形態に係る犬走り形成用樹脂成型体１２０と略同様の構成を有している。そこで、同様の構成部分については、すでに第４実施形態において説明したのでここでの説明は省略することとする。なお、犬走り形成用樹脂成型体１２０と同一の構成については、同一の符号を付した。
【００４９】
図１３（ｃ）に示すように、連結部１２６には、高さ方向で上下に貫通するアンカー用の孔１６２が設けられ、連結部１２８には、高さ方向で上下に貫通するアンカー用の孔１６４が設けられている。
【００５０】
ここで、図１５（ａ）〜図１５（ｃ）を用いて、犬走り形成用樹脂成型体１６０の連結方法について説明する。
図１５（ａ）〜図１５（ｃ）は、第６実施形態に係る犬走り形成用樹脂成型体の連結方法を説明するための図である。
【００５１】
まず、図１５（ａ）、及び、図１５（ｂ）に示すように、１の犬走り形成用樹脂成型体１６０の連結部１２８を他の犬走り形成用樹脂成型体１６０の連結部１２６に嵌合させる。
次に、図１５（ｃ）に示すように、連結部１２６のアンカー用の孔１６２と、連結部１２８のアンカー用の孔１６４とに、アンカー１６６を挿通させる。これにより、アンカーとしての機能と、連結が外れることを防止する機能とを兼用させることができ、部品点数の削減と、作業効率の向上を図ることができる。
【００５２】
［第７実施形態］
図１６（ａ）は、本発明の第７実施形態に係る犬走り形成用樹脂成型体の一例を模式的に示す左側面図であり、図１６（ｂ）は、その平面図であり、図１６（ｃ）は、その正面図である。
図１７は、図１６に示した犬走り形成用樹脂成型体の底面図である。
【００５３】
第７実施形態に係る犬走り形成用樹脂成型体１７０は、上面板の裏面に筒状収容体の上開口部を取着するための取着部１７２が設けられている以外は、第１実施形態に係る犬走り形成用樹脂成型体１０と略同様の構成を有している。そこで、同様の構成部分については、すでに第１実施形態において説明したのでここでの説明は省略することとする。なお、犬走り形成用樹脂成型体１０と同一の構成については、同一の符号を付した。
【００５４】
図１７に示すように、上面板１２の裏面には、有底孔からなる２つの取着部１７２が設けられている。取着部１７２は、シロアリ防除用のベイト剤を収容するための筒状収容体の上開口部を、下側から取着するためのものであり、筒状収容体の上開口部に設けられた貫通孔と取着部１７２とを螺子等で固定することにより、筒状収容体がズレないようにすることができる。なお、筒状収容体としては、例えば、図５を用いて説明したステーション６０を採用することができる。この場合、取着部１７２と、ステーション６０の上開口部６６に設けられた貫通孔（蓋体固定部７０）とを螺子等で固定することとすればよい。
なお、本発明における取着部は、筒状収容体の上開口部を、下側から取着するためのものであれば、特に限定されず、例えば、下面に凹部を形成しておき、筒状収容体の上周縁部を嵌合することができるようにしてもよいし、筒状収容体の上周縁部にネジ溝を形成しておき、筒状収容体を回転させることによりネジ結合するような構造であってもよい。
【００５５】
上述した第１実施形態〜第７実施形態では、本発明の連結部が、連結用凸部１６と、連結用凹部２０とである場合（図１（ａ）〜図１（ｃ）、及び、図２参照）、及び、連結部１２６と、連結部１２８とである場合（図９（ａ）〜図９（ｃ）、及び、図１０参照）について説明した。しかしながら、本発明における連結部は、平面方向に複数敷き並べる際に、互いを連結することが可能なものであれば特に限定されず、各側部に複数の連結部が設けられていてもよい。また、第６実施形態に係る犬走り形成用樹脂成型体１６０のアンカー用の孔１６２及びアンカー用の孔１６４のように、犬走り形成用樹脂成型体１０とは別体の連結部材（例えば、アンカー）と組み合わせて使用するものであってもよい。
【００５６】
また、上述した第１実施形態〜第７実施形態では、連結部が左側部と右側部に設けられている場合について説明したが、本発明においては、さらに、上側部と下側部に設けられていることとしてもよい。
【００５７】
図１８は、第１実施形態に係る犬走り形成用樹脂成型体の使用状態を示す図である。
図１８に示すように、建物２００では、コンクリート基礎２１０の外周に沿って、２列に複数の犬走り形成用樹脂成型体１０が敷き並べられている。犬走り形成用樹脂成型体１０は、樹脂製であるため、持ち運びが容易であり、犬走りを形成する際には、敷き並べるだけでよいため、容易に施工することが可能である。また、温水器等を後から設置する等、事後的に地中に配管を埋設する必要が生じた場合であっても、埋設するために必要な箇所に敷き並べられた犬走り形成用樹脂成型体１０のみを一旦取り外し、配管等を施工した後に再び敷き並べればよく、施工の手間を最小限とすることができる。
【００５８】
次に、本発明の犬走り形成用樹脂成型体の材料（樹脂材料）ついて説明する。樹脂材料としては、特に限定されるものではないが、例えば、ポリプロピレン、ポリエチレン、アクリロニトリル・ブタジエン・スチレン樹脂（ＡＢＳ）、ポリ塩化ビニル、ナイロン等を挙げることができる。また、樹脂材料として、例えば、天然ゴム（ＮＲ）、スチレン・ブタジエンゴム（ＳＢＲ）、クロロプレンゴム（ＣＲ）等のゴム材料を挙げることができる。これらの材料は、単独で用いてもよく、２種以上を併用してもよい。
【００５９】
犬走り形成用樹脂成型体の樹脂材料は、無機材料を添加して用いることが望ましい。剛性が高くなり好適な硬さとすることができ、光による樹脂材料の脆性化を防止し、さらに、耐水性や耐熱性等を向上させることができるからである。無機材料としては、特に限定されるものではないが、例えば、炭酸カルシウム、含水珪酸マグネシウム、石粉、コンクリート粉体、高炉スラグ、フライアッシュ等を挙げることができる。樹脂材料と無機材料との配合重量比は、１：０．１〜１：３であることが好ましい。また、例えば、フタル酸エステル、ジブチルフタレート等の可塑剤を添加してもよい。
【００６０】
犬走り形成用樹脂成型体の製造方法としては、特に限定されないが、例えば、熱プレス成形や射出成形等を挙げることができる。
【００６１】
以上、犬走り形成用樹脂成型体の実施形態について説明したが、本発明の犬走り形成用樹脂成型体は、上述した例に限定されるものではなく、本発明の構成を充足する範囲内で、適宜設計変更を行うことが可能である。
【図面の簡単な説明】
【００６２】
【図１】（ａ）は、本発明の第１実施形態に係る犬走り形成用樹脂成型体の一例を模式的に示す左側面図であり、（ｂ）は、その平面図であり、（ｃ）は、その正面図である。
【図２】図１に示した犬走り形成用樹脂成型体の底面図である。
【図３】（ａ）は、本発明の第２実施形態に係る犬走り形成用樹脂成型体の一例を模式的に示す左側面図であり、（ｂ）は、その平面図であり、（ｃ）は、その正面図である。
【図４】図３に示した犬走り形成用樹脂成型体の底面図である。
【図５】（ａ）は、ステーションの一例を模式的に示す正面図であり、図５（ｂ）は、その平面図である。
【図６】蓋体の一例を模式的に示す平面図である。
【図７】（ａ）は、本発明の第３実施形態に係る犬走り形成用樹脂成型体の一例を模式的に示す左側面図であり、（ｂ）は、その平面図であり、（ｃ）は、その正面図である。
【図８】図７に示した犬走り形成用樹脂成型体の底面図である。
【図９】（ａ）は、本発明の第４実施形態に係る犬走り形成用樹脂成型体の一例を模式的に示す左側面図であり、（ｂ）は、その平面図であり、（ｃ）は、その正面図である。
【図１０】図９に示した犬走り形成用樹脂成型体の底面図である。
【図１１】（ａ）は、本発明の第５実施形態に係る犬走り形成用樹脂成型体の一例を模式的に示す左側面図であり、（ｂ）は、その平面図であり、（ｃ）は、その正面図である。
【図１２】図１１に示した犬走り形成用樹脂成型体の底面図である。
【図１３】（ａ）は、本発明の第６実施形態に係る犬走り形成用樹脂成型体の一例を模式的に示す左側面図であり、（ｂ）は、その平面図であり、（ｃ）は、その正面図である。
【図１４】図１３に示した犬走り形成用樹脂成型体の底面図である。
【図１５】（ａ）〜（ｃ）は、第６実施形態に係る犬走り形成用樹脂成型体の連結方法を説明するための図である。
【図１６】（ａ）は、本発明の第７実施形態に係る犬走り形成用樹脂成型体の一例を模式的に示す左側面図であり、（ｂ）は、その平面図であり、（ｃ）は、その正面図である。
【図１７】図１６に示した犬走り形成用樹脂成型体の底面図である。
【図１８】第１実施形態に係る犬走り形成用樹脂成型体の使用状態を示す図である。
【符号の説明】
【００６３】
１０、３０、９０、１２０、１５０、１６０、１７０  犬走り形成用樹脂成型体
１２、３２、９２、１２２  上面板
１４、３４、９４、１２４  右側部
１６、３６、９６  連結用凸部
１８、３８、９８  左側部
２０、４０、１００  連結用凹部
２２、４２、１０２、１３２  枠体
２４、４４、１０４、１３４  リブ
４６、１０６  開口部
４８、１０８  溝
６０  ステーション
６２  筒状収容体
６４  貫通孔
６６  上開口部
８０  蓋体
１１２  筒状部
１１４  貫通孔
１２６  連結部
１２８  連結部
１５２、１６２、１６４  （アンカー用の）孔
【図１】
2010024633.tif 000003
【図２】
2010024633.tif 000004
【図３】
2010024633.tif 000005
【図４】
2010024633.tif 000006
【図５】
2010024633.tif 000007
【図６】
2010024633.tif 000008
【図７】
2010024633.tif 000009
【図８】
2010024633.tif 000010
【図９】
2010024633.tif 000011
【図１０】
2010024633.tif 000012
【図１１】
2010024633.tif 000013
【図１２】
2010024633.tif 000014
【図１３】
2010024633.tif 000015
【図１４】
2010024633.tif 000016
【図１５】
2010024633.tif 000017
【図１６】
2010024633.tif 000018
【図１７】
2010024633.tif 000019
【図１８】
2010024633.tif 000020